(57)【要約】たとえばペースメーカ、除細動器、または他の心調律管理装置などの植込装置は、１つあるいは複数のＭＲＩ安全性構成要素を有することが可能である。実施例において植込装置は、第１電極を備えるコンデンサを有し、第１電極は、第１電極の周囲から第１電極の内部に延びる第１スロットを有する。第２電極は、第１電極から第１距離だけ分離される。第２電極は、第２電極の周囲から第２電極の内部に延びる第２スロットを有する。第１スロットと第２スロットは、第１電極と第２電極それぞれにおける径方向電流ループサイズを減らすべく、第１電極と第２電極それぞれの表面積を少なくとも部分的に分割するように構成される。
2013516237.tif 000002
【特許請求の範囲】
【請求項１】
第１電極の周囲から前記第１電極の内部に延びる第１スロットを有する第１電極と；
前記第１電極から第１距離だけ分離された第２電極であって、前記第２電極は、前記第２電極の周囲から前記第２電極の内部に延びる第２スロットを有することと
を有する植込医療装置コンデンサであって、
前記第１スロットと前記第２スロットは、各々の前記第１電極と前記第２電極とにおける径方向電流ループサイズを減らすべく、前記第１電極と前記第２電極それぞれの表面積を少なくとも部分的に分割するように構成される、
植込医療装置コンデンサ。
【請求項２】
前記第１電極は、陽極層を有する、
請求項１記載の植込医療装置コンデンサ。
【請求項３】
前記第２電極は、陰極層を有する、
請求項１または２記載の植込医療装置コンデンサ。
【請求項４】
前記第１電極は、酸化アルミニウムで少なくとも部分的に覆われたアルミニウム基板を有する、
請求項１〜３何れか一項記載の植込医療装置コンデンサ。
【請求項５】
前記第２電極は、スパッタチタンで少なくとも部分的に覆われたアルミニウム基板を有する、
請求項１〜４何れか一項記載の植込医療装置コンデンサ。
【請求項６】
前記第１電極は、積層構成における前記第２電極に平行である、
請求項１〜５何れか一項記載の植込医療装置コンデンサ。
【請求項７】
前記第１電極の前記第１スロットは、前記第２電極の前記第２スロットに整列される、
請求項６記載の植込医療装置コンデンサ。
【請求項８】
前記第１電極の前記第１スロットは、前記第２電極の前記第２スロットから偏位される、
請求項６記載の植込医療装置コンデンサ。
【請求項９】
前記植込医療装置コンデンサは、前記第１電極と前記第２電極との間に配置されたセパレータを有する、
請求項６〜８何れか一項記載の植込医療装置コンデンサ。
【請求項１０】
前記セパレータは、電解質材料を有する、
請求項９記載の植込医療装置コンデンサ。
【請求項１１】
前記第１電極は、２つ以上の第１スロットを有する、
請求項１〜１０何れか一項記載の植込医療装置コンデンサ。
【請求項１２】
前記第１電極と前記第２電極とは、それぞれ平面である、
請求項１〜１１何れか一項記載の植込医療装置コンデンサ。
【請求項１３】
前記第１電極は第１相互接続領域を有し、
前記第１相互接続領域は、前記第１電極の縁にそって中央に位置するとともに、前記第
１スロットの端としての第１スロット端の近位に位置し、
前記第１スロット端は、前記第１電極の内部に配置され、
前記第２電極は第２相互接続領域を有し、
前記第２相互接続領域は、前記第２電極の縁に沿って中央に位置するとともに、前記第２スロットの端としての第２スロット端の近位に位置し、
前記第２スロット端は、前記第２電極の内部に配置される、
請求項１〜１２何れか一項記載の植込医療装置コンデンサ。
【請求項１４】
前記第１電極の前記第１相互接続領域は、積層構成における前記第１電極と前記第２電極とに関して、前記第２電極の前記第２相互接続領域から偏位される、
請求項１３記載の植込医療装置コンデンサ。
【請求項１５】
前記第１電極は、２つの第１スロットを有し、
前記第１相互接続領域は、前記第１電極の縁に沿って位置するとともに、各々の前記第１スロット端から等距離に位置し、
前記第１スロット端は、前記第１電極の内部に配置される、
請求項１３〜１４何れか一項記載の植込医療装置コンデンサ。
【請求項１６】
第１電極を第２電極に積層することを有する方法であって、
前記第２電極は、前記第１電極から第１距離だけ分離され、
前記第１電極は、前記第１電極の周囲から、前記第１電極の内部に前記第１電極を通って延びる第１スロットを有し、
前記第２電極は、前記第２電極の周囲から、前記第２電極の内部に前記第２電極を通って延びる第２スロットを有し、
前記第１スロットと前記第２スロットは、各々の前記第１電極と前記第２電極とにおける径方向電流ループサイズを減らすべく、前記第１電極と前記第２電極それぞれの表面積を少なくとも部分的に分割するように構成される、方法。
【請求項１７】
前記方法は、前記第１スロットと前記第２スロットとを形成すべく、前記第１電極と前記第２電極とを分割することを有する、
請求項１６記載の方法。
【請求項１８】
前記分割は、２つ以上の第１スロットを形成すべく、前記第１電極を分割することを有する、
請求項１７記載の方法。
【請求項１９】
前記分割は、前記第１スロットと前記第２スロットを形成すべく、前記第１電極と前記第２電極とを型抜きすることを有する、
請求項１６〜１８何れか一項記載の方法。
【請求項２０】
前記方法は、前記第１電極と前記第２電極との間にセパレータを設置することを有する、
請求項１６〜１９何れか一項記載の方法。
【発明の詳細な説明】
【技術分野】
【０００１】
本発明は、渦電流を減らす植込医療装置コンデンサと方法とに関する。
【背景技術】
【０００２】
植込医療装置（ＩＭＤ）は、様々な診断機能または治療機能を実行することが可能である。たとえば植込医療装置は、心臓の１つあるいは複数の電気的または機械的異常など被験者を診断または治療すべく、たとえば心臓の監視または心臓あるいは神経系への電気刺激の提供などを行うべく、１つあるいは複数の心臓機能管理機構を有することが可能である。植込医療装置の例には、特にペースメーカ、自動式植込心臓除細動器（ＩＣＤ）、または心臓再同期療法（ＣＲＴ）装置が含まれ得る。核磁気共鳴映像法（ＭＲＩ）は、身体の内部構造を可視化すべく用いられ得る医療画像化技法である。ＭＲＩは、益々一般的になっている診断ツールであるが、たとえばＭＲＩ走査を受ける患者またはＭＲＩ機器の傍にいる人などの植込医療装置を有する者または導電性インプラントを有する人々に危険を及ぼし得る。
【０００３】
核磁気共鳴分野（ＭＲ分野）において、植込医療装置のような要素は、あらゆるＭＲＩ環境において既知の危険をもたらさない場合、「ＭＲ安全性」と称されることが可能である。実施例においてＭＲ安全性要素には、たとえばガラス、陶器、非導電性ポリマ、などの非導電性、非金属性、非磁気性材が含まれ得る。要素が、指定の使用条件（たとえば静的磁場強度、空間的勾配、時変磁場、ＲＦ磁場、など）で指定のＭＲＩ環境において既知の危険をもたらさないことが示されている場合、要素は、ＭＲ磁場において「ＭＲ特定条件下で安全」と称されることが可能である。特定の実施例においてＭＲ特定条件下で安全な要素は、指定のＭＲＩ環境における要素挙動の特性化に十分な試験結果がラベルで表示されることが可能である。試験には、特に磁気誘導転移かトルク、加熱、誘導電流か電圧、または１つあるいは複数の他の因子が含まれることが可能である。強磁性ハサミなどＭＲＩ環境全てにおいて危険性をもたらすことが公知の要素は、「ＭＲ危険性」と称されることが可能である。
【先行技術文献】
【特許文献】
【０００４】
【特許文献１】欧州特許出願公開第１４２４０９８号明細書
【発明の概要】
【発明が解決しようとする課題】
【０００５】
本発明者が認識したところでは、特にＭＲＩ環境内での安全性の増大を有することが埋込医療装置に望まれる。たとえば本発明者は、ＭＲＩ装置内かその近位に存在する磁場に対する応答低下を有することが、埋込医療装置に望まれることを認めている。そのような応答には、限定されないが加熱、振動、または他の誘発運動、誘発電圧、その他が含まれる。いくつかの実施例において本発明者は、埋込医療装置中に存在するコンデンサの磁場応答を減らすことが望ましいことを認めている。
【課題を解決するための手段】
【０００６】
実施例１において、植込医療装置コンデンサは、第１電極の周囲から第１電極の内部に延びる第１スロットを備える第１電極を有し得る。第２電極は、第１電極から第１距離だけ分離され得る。第２電極は、第２電極の周囲から第２電極の内部に延びる第２スロットを有することが可能であり、第１スロットと第２スロットとは、各々の第１電極と第２電極とにおける径方向電流ループサイズを減らすべく、それぞれ第１電極と第２電極との表
面積を少なくとも部分的に分割するように構成される。
【０００７】
実施例２において、実施例１の第１電極は、陽極層を有するように任意に構成される。
実施例３において、実施例１〜２のうちの何れか一つにおける１つあるいは複数の第２電極は、陰極層を有するように任意に構成される。
【０００８】
実施例４において、実施例１〜３のうちの何れか一つにおける１つあるいは複数の第１電極は、酸化アルミニウムで少なくとも部分的に覆われたアルミニウム基板を有するように任意に構成される。
【０００９】
実施例５において、実施例１〜４のうちの何れか一つにおける１つあるいは複数の第２電極は、スパッタチタンで少なくとも部分的に覆われたアルミニウム基板を有するように任意に構成される。
【００１０】
実施例６において、実施例１〜５のうちの何れか一つにおける１つあるいは複数の第１電極は、積層構成における第２電極に実質的平行であるように任意に構成される。
実施例７において、実施例６の第１電極の第１スロットは、第２電極の第２スロットに実質的に整列されるように任意に構成される。
【００１１】
実施例８において、実施例６の第１電極の第１スロットは、第２電極の第２スロットから偏位されるように任意に構成される。
実施例９において、実施例６〜８のうちの何れか一つにおける１つあるいは複数の植込医療装置コンデンサは、第１電極と第２電極との間に配置されたセパレータを任意に有する。
【００１２】
実施例１０において、実施例９のセパレータは、電解質材料を有するように任意に構成される。
実施例１１において、実施例１〜１０のうちの何れか一つにおける１つあるいは複数の第１電極は、２つ以上の第１スロットを有するように任意に構成される。
【００１３】
実施例１２において、実施例１〜１１のうちの何れか一つにおける１つあるいは複数の第１電極と第２電極とは、実質的平面であるように任意に構成される。
実施例１３において、実施例１〜１２のうちの何れか一つにおける１つあるいは複数の植込医療装置コンデンサは、第１電極の縁に沿って実質的中央に位置するとともに、第１スロット端の実質的近位に位置する第１相互接続領域を第１電極が有するように任意に構成され、第１スロット端は、第１電極の内部に配置される。植込医療装置コンデンサは、第２電極の縁に沿って実質的中央に位置するとともに、第２スロット端の実質的近位に位置する第２相互接続領域を第２電極が有するように任意に構成され、第２スロット端は、第２電極の内部に配置される。
【００１４】
実施例１４において、実施例１３の第１電極の第１相互接続領域は、積層構成における第１電極と第２電極とに関して、第２電極の第２相互作用領域から偏位されるように任意に構成される。
【００１５】
実施例１５において、実施例１３〜１４のうちの何れか一つにおける１つあるいは複数の第１電極は、２つの第１スロットを有するように任意に構成され、第１相互接続領域は、第１電極の縁に沿って位置するとともに、各々の第１スロットの端としての第１スロット端から実質的に等距離に位置し、第１スロット端は、第１電極の内部に配置される。
【００１６】
実施例１６において、方法は、第１電極を第２電極に積層することを有し得る。第２電
極は、第１電極から第１距離だけ分離される。第１電極は、第１電極の周囲から第１電極の内部に第１電極を通って延びる第１スロットを有し得る。第２電極は、第２電極の周囲から第２電極の内部に第２電極を通って延びる第２スロットを有し得る。第１スロットと第２スロットとは、各々の第１電極と第２電極とにおける径方向電流ループサイズを減らすべく、それぞれ第１電極と第２電極との表面積を少なくとも部分的に分割するように構成される。
【００１７】
実施例１７において、実施例１６の方法は、第１スロットと第２スロットとを形成すべく、第１電極と第２電極とを分割することを任意に有する。
実施例１８において、実施例１７の分割化は、２つ以上の第１スロットを形成すべく第１電極を分割することを有するように任意に構成される。
【００１８】
実施例１９において、実施例１６〜１８のうちの何れか一つにおける１つあるいは複数の分割化は、第１スロットと第２スロットとを形成すべく第１電極と第２電極とを型抜きすることを有するように任意に構成される。
【００１９】
実施例２０において、実施例１６〜１９のうちの何れか一つにおける１つあるいは複数の方法は、第１電極と第２電極との間にセパレータを配置することを任意に有する。
この概要は、本特許出願の主題の概要を提供することを意図する。本発明を排他的または包括的に説明することは意図されない。詳細な説明は、本特許出願に関するさらなる情報を提供すべく含まれる。
【００２０】
必ずしも縮尺通りに描かれていない図面において、類似の数字は、異なる見方における類似の構成要素を記載し得る。異なる添字文字を有する類似の数字は、類似構成要素の異なる例を表わし得る。図面は、主として本書において記載される様々な実施形態を限定としてではなく例として例示する。
【図面の簡単な説明】
【００２１】
【図１】埋込医療装置の基本構成要素を示す埋込医療装置の切取り図。
【図２】非分割電極の実施例。
【図３】分割電極の実施例。
【図４】相互接続領域を有する非分割電極の実施例。
【図５】相互接続領域を有する分割電極の実施例。
【図６】相互接続領域を有する分割電極の実施例。
【図７】相互接続領域を有する分割電極の実施例。
【図８】相互接続領域を有する分割電極であって、実質的に整列した分割化を有する分割電極の実施例。
【図９】相互接続領域を有する分割電極であって、実質的に偏位した分割化を有する分割電極の実施例。
【図１０】相互接続領域を有する分割電極であって、実質的に偏位した分割化を有する分割電極の実施例。
【発明を実施するための形態】
【００２２】
核磁気共鳴（ＮＭＲ）装置（たとえばＭＲＩスキャナ、ＮＭＲ分光計、または他のＮＭＲ装置）は、静的および時変磁場の両方を生成することが可能である。たとえばＭＲＩスキャナは、たとえばＢ０磁場の軸に被験者内の核を整列すべく、強力な静的磁場Ｂ０を提供することが可能である。核のスピン状態が、可能なスピン状態の間でランダムに分布されていないので、Ｂ０は、大量の核の間で僅かな正味磁化（たとえば「スピン分極」）を提供することが可能である。ＮＭＲ装置によって到達可能な解像度は、Ｂ０磁場の大きさに関連し得るので、より強力なＢ０磁場は、より上質の解像度画像を得るべく被験者の核
のスピン分極に用いられることが可能である。ＮＭＲ装置は、たとえば１．５テスラＢ０磁場、３．０テスラＢ０磁場などの画像化中に用いられるＢ０磁場の大きさにしたがって分類されることが可能である。
【００２３】
核がＢ０磁場を用いて整列された後、１つあるいは複数の無線周波数（ＲＦ）磁気励起パルスは、たとえば指定核の整列を変更すべく送達されることが可能である（たとえば被験者内の画像化されるべき特定の容積または平面内）。１つあるいは複数のＲＦ励起パルスの出力、位相、および周波数の範囲は、Ｂ０磁場の大きさ、画像化されるべき核のタイプか共鳴周波数、または１つあるいは複数の他の因子に依存して選択され得る。ＲＦ励起パルスは、停止後、たとえば静的磁場Ｂ０によって誘発されたスピン分極状態などのより低いエネルギ状態に戻るので、１つあるいは複数のＲＦ受信器は、核によって発現した時変磁場（たとえば磁束）の検出に用いられることが可能である。
【００２４】
１つあるいは複数の勾配磁場はまた、たとえば静的分極磁場において僅かな位置依存性変動をもたらすべく、ＭＲ中に提供されることが可能である。静的分極磁場の変動は、たとえば１つあるいは複数のＲＦパルスによる励起後の弛緩中などに、弛緩核の共鳴周波数を僅かに変更する。静的磁場とともに勾配磁場の使用は、たとえば周波数識別を用いることによって、ＲＦ受信器によって検出された信号の「空間的位置確認」を提供し得る。勾配磁場の使用は、容積または平面をより効率的に画像化できるようにする。勾配磁場実施例において弛緩核から受信された信号は、各々の核の位置に対応するそれぞれの固有周波数範囲のエネルギを有することが可能である。
【００２５】
活性ＭＲＩ機器は、植込医療装置か他の導電性インプラントにおいて都合の悪いトルク、力、または加熱を誘発し得るか、植込医療装置の動作を干渉し得る。特定の実施例において干渉には、植込医療装置による検知における混乱、ＭＲＩ動作中の植込医療装置と他のインプラントまたは外部モジュールとの間の通信における干渉、または植込医療装置の監視または治療機能における混乱が含まれ得る。
【００２６】
ＭＲＩ走査中、１つあるいは複数のＲＦ励起パルスは、たとえば画像化されるべき被験者の核の核磁気共鳴に対応する、１０ＭＨｚ未満から１００ＭＨｚよりも高い周波数で送達されるエネルギを有することが可能である。勾配磁場に含まれるＡＣエネルギのうちの大部分は、勾配磁場がランピングしているか「スルーイング」している場合に提供されるので、勾配磁場は、ＲＦ励起パルスよりも低い周波数で送達されるエネルギを有し得る。１つあるいは複数の勾配磁場は、たとえば多次元での画像化を提供すべく各々の軸において提供される個々の時変勾配磁場を有する多重軸において提供されることが可能である。
【００２７】
実施例において静的磁場Ｂ０は、たとえば鋼鉄またはニッケルなどの強磁性材に及ぼす都合の悪い力またはトルクを誘発することが可能である。力またはトルクは、材料がＭＲＩ機器の「穴」内に直接ない場合でさえ、生じ得る。なぜなら、有意な磁場が、ＭＲＩ機器の近傍に存在し得るからである。しかも、電流がＢ０磁場の存在下でオンまたはオフに切り換えられる場合、Ｂ０磁場自体が静的であるとは言え、有意なトルクまたは力が、突然、電流の循環面に加えられ得る。誘発力またはトルクは、小電流では僅かであり得るが、トルクは、たとえば除細動ショック療法中に送達されるような、より大きな電流では有意になり得る。たとえば循環電流が、静的磁場に対して垂直な（たとえば直角な）面で循環していると仮定すると、トルクは、電流によって増加する電流ループの表面積によって増加するＢ０磁場の大きさに比例し得る。
【００２８】
たとえば勾配磁場かＲＦ励起パルスに関連する磁場などの時変磁場は、静的磁場Ｂ０とは異なる危険性を示し得る。たとえば時変磁場の存在下でのワイヤループの挙動は、以下の式によって表わされ得るファラデー（Ｆａｒａｄａｙ）の法則を用いて説明されること
が可能である。
【００２９】
ε＝−ｄ（ΦＢ１）／ｄｔ    。
式中、εは、たとえば時変磁束によって発現されるような起電力（たとえばボルトにおける）を表わすことが可能である。磁束は、以下のように表わされ得る。
【００３０】
ΦＢ１＝∬ｓＢ１・ｄＳ    。
式中のＢ１は、瞬間磁束密度ベクトル（たとえばウェーバ（Ｗｅｂｅｒ）／ｍ２、またはテスラ）を表わし得る。Ｂ１が表面Ｓにわたって比較的一定な場合、磁束は、おおよそΦＢ１＝｜Ｂ１｜｜Ａ｜であり得る。この場合、Ａは、表面Ｓの面積を表わし得る。ＭＲＩ機器の動作によって、１００テスラ／秒（Ｔ／ｓ）を上回るスルーレートを有する時変勾配磁場が生じ得る。スルーレートは、勾配磁場の「傾斜」に類似し得るので、ｄΦＢ１／ｄｔに類似する。
【００３１】
ファラデーの法則の起電力（ＥＭＦ）は、導体が強磁性であるかどうかにかかわらず、導体において不都合な加熱効果をもたらし得る。起電力は、導体（たとえば植込医療装置のハウジング、植込医療装置内の１つあるいは複数の他の導電性領域、または１つあるいは複数の導電性インプラント）において電流フローを誘発し得る。誘発電流は、エネルギを消散させ得るとともに外部適用磁場（たとえばレンツ（Ｌｅｎｚ）の法則によって与えられる）の変化の方向に対抗し得る。誘発電流は、その初期方向から離れて渦巻いて進む傾向があり、たとえば導体を移動する電子に作用を及ぼすローレンツ（Ｌｏｒｅｎｔｚ）力のため、導体の表面にわたって「渦電流」を形成する。非理想導体は、有限抵抗率を有するので、導体を通る誘発電流のフローは、熱を生成し得る。誘発熱は、走査の期間にわたって導体内か導体近傍で有意な温度上昇を誘発することが可能である。渦電流電力堆積は、ピーク流速密度と励起の周波数の両方の二乗に比例し得る。有意な加熱が生じると、加熱は、組織の損傷または死滅をもたらすことが可能である。
【００３２】
一般に、ＲＦ磁気励起パルスによって誘発されるような誘発電流は、導体の表面近傍に集結し得る。これは、表皮効果と称され得る現象である。表皮効果は、誘発電流の大きさと深度との両方を制限し得るので、電力消費を減らし得る。しかし勾配磁場は、ＲＦ磁気励起場よりもずっと低い周波数のエネルギを有し得るので、植込医療装置のハウジングをより容易に貫通することが可能である。ＲＦ励起パルス由来の磁場とは異なり、勾配磁場は、たとえば１つあるいは複数の回路、コンデンサ、バッテリ、または他の導体内などの植込医療装置ハウジング内の１つあるいは複数の導体においてバルク渦電流をずっと容易に誘発することが可能である。
【００３３】
加熱を除いて、ＭＲＩ勾配誘発起電力は、特に心電気活動の間違った検知をもたらし得る非生理的電圧を生じさせ得るか、あるいは起電力は、心臓組織を脱分極するか心臓組織を不応性にするのに十分な電圧を生じさせ得るので、恐らくペーシング療法に影響を及ぼし得る。例示の実施例において植込医療装置は、患者を監視するか患者に１つあるいは複数の治療を提供すべく位置付けられた、たとえば１つあるいは複数の皮下または静脈内リードなどの１つあるいは複数のリードに接続されることが可能である。この例示実施例においてリード、植込医療装置のハウジング、およびリード上の電極と植込医療装置ハウジングとの間の少なくとも部分的に導電性の体組織を通る経路を有する「回路」の表面積は、３００ｃｍ２よりも大きいか、０．０３ｍ２よりも大きくなり得る。したがって、ファラデーの法則を用いることによって、リードの電極（たとえば遠位チップかリング電極）と植込医療装置のハウジングとの間の体組織によって発現した起電力（ＥＭＦ）は、０．０３ｍ２×１００ｔ／ｓよりも大きいか、３ボルトよりも大きくなり得る。
【００３４】
本発明者は、特にＭＲＩ環境内での安全性の増大を有することが植込医療装置にとって
望ましいことを認めている。たとえば本発明者が認識したところでは、ＭＲＩ装置内かその近位に存在する磁場に対する応答低下を有することが、植込医療装置にとって望まれる。そのような応答には、限定されないが加熱、振動、または他の誘発性運動、誘発性電圧、その他が含まれる。いくつかの実施例において本発明者は、植込医療装置バッテリの磁場応答を減らすことが望ましいと認めている。
【００３５】
図１を参照すると、埋込医療装置１００の実施例が、示される。実施例における埋込医療装置１００は、たとえばリードなどの構成要素を埋込医療装置に取付けるヘッダ１０２を有する。実施例において埋込医療装置１００は、患者内の埋込医療装置１００の動作と機能化に関連する埋込医療装置１００の電子機器を有する電子モジュール１０４を備える。実施例によっては埋込医療装置１００は、セルまたはバッテリ１０６を有する。さらにいくつかの実施例において埋込医療装置１００は、コンデンサ１０８を有する。様々な実施例において構成要素１０２、１０４，１０６，１０８または、たとえばリードなどの図１において示されない埋込医療装置の他の構成要素のうちの１つあるいは複数は、ＭＲＩ環境内での安全性を増大すべく磁場に対する応答低下を有し得る。そのため、本明細書における説明は、主としてコンデンサにおけるＭＲ応答低下を記載しているが、金属か埋込医療装置の構成要素または埋込医療装置自体の導電性包囲体も含めて、埋込医療装置の任意の構成要素または構成要素の組合せに適用されることが可能である。金属包囲体と表面積の大きな内部構成要素のうちの少なくとも一方を有し得る埋込医療装置の実施例には、限定されないが、心臓ペースメーカ；自動植込心臓除細動器（ＩＣＤ）；心臓再同期療法・除細動器（ＣＲＴ−Ｄ）装置；深部脳刺激装置（ＤＢＳ）、様々な疼痛制御装置、および脊髄、筋肉、および身体の他の神経（たとえば迷走神経）を刺激するリードシステムを有する神経変調器；心臓機能を監視する植込診断装置；人工内耳；および薬物療法を定期的または必要に基づいて投与する薬物ポンプが含まれる。
【００３６】
様々な実施例においてコンデンサ１０８は、包囲体１０９を有する。実施例によってはコンデンサ１０８は、１つあるいは複数の陽極層、１つあるいは複数の陰極層、および１つあるいは複数のセパレータを有することが可能であり、これらは、各々の包囲体１０９内で互いに積層整列している。いくつかの実施例は、他の層との相互接続に用いられる接続要素を備えた層を有する。様々な実施例において接続要素は、積み重ねられた層から離れて延びるので、コンデンサ層間の相互接続を可能にする。たとえば陽極接続要素のうちのいくつかは、陽極層を相互接続すべくコンデンサ１０８の陽極層から離れて延びることが可能である。実施例によっては接続要素は、陰極層に用いられ得る。留意すべきは、以下の説明のうちの一部は、１つか２つの電極のみに焦点が当てられているが、それらの章の説明は、２つ以上の陽極層と２つ以上の陰極層のうちの少なくとも一方を有するコンデンサに適用されることが可能である。
【００３７】
様々な実施例においてコンデンサ１０８は、アルミニウム電解（ＡＥ）コンデンサを有し得る。実施例によってはアルミニウム電解コンデンサは、少なくとも１つの陽極層と少なくとも１つの陰極層を有し、陽極と陰極は各々、アルミニウムを有する。実施例においてアルミニウム電解コンデンサは、アルミニウム基板上に酸化アルミニウムを有する１つあるいは複数の陽極層を有する。さらなる実施例においてアルミニウム基板は、エッチング処理される。実施例においてアルミニウム電解コンデンサは、アルミニウム基板上にチタンを有する１つあるいは複数の陰極層を有する。さらなる実施例において電解質は、各々のアルミニウム電解コンデンサの層間に配置されることが可能である。さらなる実施例において紙コンデンサなどのセパレータは、アルミニウム電解コンデンサの層間に配置されることが可能である。電極または他のコンデンサ構成要素の材料は、下記の実施例において指定されないかもしれないが、留意すべきは、下記の実施例のうちの少なくともいくつかは、アルミニウム電解コンデンサに対して、および他のタイプのコンデンサと他の埋込医療装置構成要素に関して用いられ得ることである。
【００３８】
図２を参照すると、様々な実施例においてコンデンサ（たとえば図１の埋込医療装置１００のコンデンサ１０８など）は、電極２１０を有することが可能である。矢印２１２は、ＭＲＩ装置の勾配磁場によって誘発され得るような電極２１０の径方向電流または渦電流の実施例を表現すべく電極２１０上に示される。実施例において誘発渦電流は、静的磁場と相互作用し得るとともに電極２１０（そして次にコンデンサ）の振動または他の運動をもたらし得る。別の実施例において誘発渦電流は、電極２１０（そして次にコンデンサ）の温度を上昇させる熱として消費されることが可能である。所定の時変勾配磁場では、誘発トルクと生成熱のうちの少なくとも一方は、電極２１０の材料と幾何学的形状の関数である。たとえば渦電流誘発加熱および振動は、概して導体の表面積の二乗に比例するか、あるいは図２の実施例において全体的に矢印２１２によって示される誘発渦電流によって包囲される面積の二乗に比例する。実施例の電極２１０の表面積が比較的大きい（さらに渦電流のループ２１２が比較的大きい）ため、埋込医療装置のコンデンサは、ＭＲＩ環境内に設置されるとき、熱と振動のうちの少なくとも一方の実質的な供給源であり得る。したがって、たとえば埋込医療装置のコンデンサの電極内に存在する誘発渦電流のループサイズの減少は、ＭＲＩ環境に曝される埋込医療装置において誘発される加熱と運動のうちの少なくとも一方を減らすことを本明細書において考えられている。
【００３９】
たとえばアルミニウム電解コンデンサの実施例においてアルミニウムの比較的高い伝導度に少なくとも部分的に起因して、アルミニウム電解コンデンサの電極は、たとえばＭＲＩ装置の勾配磁場などのＭＲＩ環境の磁場に対して比較的高い高度で応答し得る。しかも、実施例によっては薄いアルミニウムフォイルが、アルミニウム電解コンデンサの電極に用いられ得るので、電極は、そのような電極の比較的速い加熱に寄与し得る限られた熱質量を有し得る。植込装置の構成要素の加熱と振動のうちの少なくとも一方は、植込装置を有するとともにＭＲＩ環境に曝される患者にとって危険である。たとえば植込装置の構成要素の加熱と振動のうちの少なくとも一方は、患者に組織損傷をもたらし得る。そのため、本発明者が認識したところでは、ＭＲＩ環境に対するそのような植込装置の応答（たとえば加熱と振動のうちの少なくとも一方）を制限すべく植込装置のうちの１つあるいは複数の構成要素の表面積を減らすことが望ましくなり、それによって植込装置をＭＲＩ安全性にし得る。実施例によっては下記でより詳細に記載されるように、本発明者は、植込装置の構成要素が、構成要素の表面積を減らすべく分割されることによって、径方向電流ループのサイズを減らし得るとともにＭＲＩ環境に対する構成要素の応答を低下し得ることを認識している。そのような分割構成要素のいくつかの実施例は、以下に記載される。
【００４０】
図３を参照すると、いくつかの実施例にしたがうコンデンサ（たとえば図１のコンデンサ１０８の）の分割電極３１０が、示される。実施例によっては電極３１０は、電極３１０の周囲から電極３１０の内部に延びる開口またはスロット３１４を有する。他の実施例において電極は、２つ以上のスロットを有することが可能である。図３において示される実施例においてスロット３１４は、電極３１０の表面積に開路を提供する。これは、矢印３１２Ａ，３１２Ｂによって示されるように、渦電流のより小さな径方向電流ループ（たとえば図２の実施例の電極２１０の非分割電極の渦電流のループサイズに対して）をもたらし得る。実施例において電極３１０における渦電流のループサイズを減らすことによって、ＭＲ環境によって誘発される加熱と運動のうちの少なくとも一方は、埋込医療装置と埋込医療装置のコンデンサのうちの少なくとも一方がＭＲＩ安全性とみなされるレベルに低下することが可能である。電極材料の除去は、概してコンデンサの性能と有効性に悪影響を及ぼし得るため、電極３１０の分割化で考慮する点は、除去される材料を最小限にすることである。実施例において電極３１０の分割化パターンを最適化することによって、コンデンサの性能は、最小限の影響を受け得るが、それと同時に渦電流ループサイズを十分に最小化することによって、ＭＲＩ安全性コンデンサをもたらし得る。
【００４１】
図４を参照すると、非分割電極４１０の実施例は、相互接続領域４１６を有する。様々な実施例において相互接続領域４１６は、コンデンサのうちの１つあるいは複数の類似電極と電極４１０との接続を可能にし得る。たとえば上記のようにコンデンサのうちの２つ以上の陽極層が、接続され得るか、コンデンサのうちの２以上の陰極層が接続され得るか、あるいはその両方である。しかし、実施例において図４の電極４１０が、開口またはスロット４１４（幻像で示される）で分割されるなら、コンデンサの充電と放電のうちの少なくとも一方の間に電流は、図４において矢印Ｘによって例示されるように縮小断面を通って流れなければならないだろう。いくつかの実施例において電極４１０の縮小断面Ｘを通る電流のそのような「収束」は、コンデンサの等価直列抵抗（ＥＳＲ）を増大し得る。これは、コンデンサの性能に悪影響を及ぼすことが可能である。そのため、本発明者が認識したところでは、電極の相互接続領域を再配置することが望ましくなり得る。
【００４２】
図５を参照すると、いくつかの実施例において分割電極５１０は、開口またはスロット５１４と、図４の実施例の電極４１０の相互接続領域４１６に対して再配置された相互接続領域５１６とを有する。この実施例において相互接続領域５１６は、電極５１０の縁に沿って電極５１０のうちの部分５１０Ａ，５１０Ｂの間の実質的中央に位置するとともに、電極５１０の内部に配置されたスロット５１４の端の実質的近位に位置する。つまりこの実施例の相互接続領域５１６は、スロット５１４の内部端と電極５１０の縁との間の縮小断面領域またはその近傍に位置し得るので、電流は、相互接続領域５１６と電極５１０のうちの各々の部分５１０Ａ，５１０Ｂの間を流れることが可能であり、上記の実施例の電極４１０の構成において存在し得るように、電流は、ほとんど収束しないか、少なくとも「収束」が減少する。このように電極５１０の縮小断面に起因するコンデンサのＥＳＲおよび他の有害な性能効果の増大は、低下し得る。
【００４３】
図６〜図８を参照すると、いくつかの実施例において分割後の第１電極６１０は、第１電極６１０の周囲から第１電極６１０の内部に延びる第１スロット６１４を有する。実施例において第１電極６１０は、たとえば埋込医療装置のコンデンサなどのコンデンサの陽極層として用いられることが可能である。いくつかの実施例において分割後の第２電極６２０は、図８において示されるように、第１電極６１０から第１距離だけ分離されることが可能である。実施例において第２電極６２０は、第２電極６２０の周囲から第２電極６２０の内部に延びる第２スロット６２４を有し得る。実施例において第２電極６２０は、たとえば埋込医療装置のコンデンサなどのコンデンサの陰極層として用いられることが可能である。実施例において第１スロット６１４と第２スロット６２４は、実施例の電極３１０に関して上記された方法に類似の方法で各々の第１電極６１０と第２電極６２０における径方向電流ループサイズを減らすべく、それぞれ第１電極６１０と第２電極６２０の表面積を少なくとも部分的に分割するように構成されることが可能である。実施例において第１電極６１０と第２電極６２０のうちの１つあるいは複数の対は、コンデンサを形成すべく積層され得る（全体的に図８において見られるように）。さらなる実施例においてコンデンサは、第１電極６１０が酸化アルミニウムで少なくとも部分的に覆われたアルミニウム基板を有する上記のようなアルミニウム電解コンデンサであり得る。さらに別の実施例において第２電極６２０がスパッタチタンで少なくとも部分的に覆われたアルミニウム基板を有する、上記のようなアルミニウム電解コンデンサであり得る。
【００４４】
別の実施例において第１電極６１０は、全体的に図８において示されるように、積層構成における第２電極６２０に実質的に平行であり得る。実施例においてセパレータは、第１電極６１０と第２電極６２０との間に配置され得る。さらなる実施例においてセパレータは、コンデンサ紙を有することが可能である。別の実施例においてセパレータは、電解質材料を有し得る。
【００４５】
実施例において第１スロット６１４と第２スロット６２４は、積層構成における第１電
極６１０および第２電極６２０に関して全体的に互いに整列される。さらなる実施例において第１スロット６１４と第２スロット６２４は、それぞれ第１電極６１０および第２電極６２０の実質的中心に沿って配置され得る。別の実施例において第１スロット６１４は、積層構成における第１電極６１０および第２電極６２０に関して第２スロット６２４から偏位され得る。つまり第１スロット６１４と第２スロット６２４は、積層構成における第１電極６１０と第２電極６２０に関して一方が他方の上に載らないように、交互に配列され得る。実施例においてそのような偏位構成は、電解質がコンデンサ中に潜在的にプールし得る大きな空隙容積量を減らし得るので、潜在的にコンデンサの性能低下を導き得る。別の実施例においてそのような偏位構成は、たとえば汚染物質か他の物体が少なくとも１つの陽極および１つの陰極に跨って位置するとともに少なくとも１つの陽極および１つの陰極に接触して留まる可能性を減らすことによって、陽極と陰極の層間の短絡の可能性を阻止し得る。上記の整列スロット構成を有する実施例において第１スロット６１４と第２スロット６２４の整列は、汚染物質または他の物体が少なくとも１つの陽極および１つの陰極のうちの各々に接触するとともにそれらの電極に跨って留まるか位置する領域を提供し得る。しかし、いくつかの例において、そのような構成が望ましいと考えられる場合、そのような汚染物質がコンデンサを短絡させる可能性は、コンデンサの製造中に細心の注意を払うことによって減らされ得る。
【００４６】
実施例において第１電極６１０は、第１電極６１０の縁に沿って実質的中央に位置する第１相互接続領域６１６を有することが可能である。第１相互接続領域６１６は、第１電極６１０の内部に配置された第１スロット６１４の端としての第１スロット端の実質的近位に位置する。つまり第１相互接続領域６１６は、相互接続領域５１６を有する上記の実施例に対して記載された方法に類似の方法で縮小断面を有する第１電極６１０の領域の近位に位置し得る。さらなる実施例において第２電極６２０は、第２電極６２０の縁に沿って実質的中央に位置するとともに第２電極６２０の内部に配置される第２スロット６２４の端の実質的近位に位置する第２相互接続領域６２６を有することが可能である。つまり第２相互接続領域６２６は、相互接続領域５１６を有する上記の実施例に対して記載された方法に類似の方法で縮小断面を有する第２電極６２０の領域の近位に位置し得る。そのような第１相互接続領域６１６と第２相互接続領域６２６とは、接続要素を用いて２つ以上の第１電極６１０（たとえば陽極層）を接続できるようにし、別の接続要素を用いて２つ以上の第２電極６２０（たとえば陰極層）を接続できるようにする。第１相互接続領域６１６と第２相互接続領域６２６とを、分割後の第１電極６１０と第２電極６２０の縮小断面かその近位に位置付けることによって、第１電極６１０と第２電極６２０の縮小断面に起因するコンデンサのＥＳＲおよび他の有害な性能効果の増大は、上記の実施例の電極５１０に関して記載された方法に類似の方法で減少し得る。
【００４７】
さらなる実施例において第１相互接続領域６１６は、積層構成における第１電極６１０と第２電極６２０とに関して干渉、または第２相互接続領域６２６の妨げとなる第１相互接続領域６１６を有することなく、２つ以上の第１電極６１０との相互接続と２つ以上の第２電極６２０との相互接続を可能にすべく、第２相互接続領域６２６から偏位されることが可能である。簡単に言えば、実施例において第１相互接続領域６１６と第２相互接続領域６２６とは、製造をより一層複雑にさせることなく、同じ領域を占めることはできない。
【００４８】
コンデンサの製造を簡略化する目的で、実施例において第１電極６１０の第１相互接続領域６１６は、第１電極６１０の中心から僅かに片側に位置付けられることが可能であり、第２電極６２０の第２相互接続領域６２６は、第２電極６２０の中心（積層構成における第１電極６１０と第２電極６２０に関して第１電極６１０の中心に整列される）から僅かに他方側に位置付けられ得る。このように２つ以上の第１電極６１０は、２つ以上の第２電極６２０の相互接続を干渉することなく相互接続され得る。さらなる実施例において
積層構成における第１電極６１０と第２電極６２０とに関して第１電極６１０は、第２電極６２０の第２相互接続領域６２６に整列するように構成される切欠６１８（第１切欠領域）を有することが可能である。切欠６１８は、一方の第２電極６２０から別の第２電極６２０にいたる接続要素が、第１電極６１０には接触せずに第１電極６１０のそばを通過できるようにし得る。このように切欠６１８は、第２電極６２０の相互接続に関連する短絡問題を軽減する。他の実施例において第２電極６２０は、切欠６１８に対して上記される方法に類似の方法で第１電極６１０の相互接続に関する短絡問題を軽減すべく、積層構成における第１電極６１０と第２電極６２０に関して第１電極６１０の第１相互接続領域６１６に整列するように構成される切欠６２８（第２切欠領域）を有することが可能である。
【００４９】
図９と図１０を参照すると、いくつかの実施例において分割後の第１電極９１０と第２電極９２０は、全体的に積層構成で示される。様々な実施例においてそのような第１電極９１０と第２電極９２０は、埋込医療装置用のコンデンサにおいて使用され得る。実施例において分割後の第１電極９１０は、各々が第１電極９１０の周囲から第１電極９１０の内部に延びる２つの第１スロット９１４を有する。実施例において第１電極９１０は、たとえば埋込医療装置のコンデンサなどのコンデンサの陽極層として用いられることが可能である。実施例において分割第２電極９２０は、第２電極９２０の周囲から第２電極９２０の内部に延びる第２スロット９２４を有し得る。実施例において第２電極９２０は、たとえば埋込医療装置のコンデンサなどのコンデンサの陰極層として用いられることが可能である。実施例において第１スロット９１４と第２スロット９２４は、第１電極６１０と第２電極６２０に対して上記の実施例において記載される方法に類似の方法で各々の第１電極９１０と第２電極９２０における径方向電流ループサイズを減らすべく、それぞれ第１電極９１０と第２電極９２０の表面積を少なくとも部分的に分割するように構成され得る。
【００５０】
第１電極９１０は、様々な理由のため２つの第１スロット９１４を有し得る。実施例において第１電極９１０の厚さは十分厚いので、第１電極９１０がＭＲＩ安全性とみなされるレベルにＭＲＩ環境によって誘発される加熱と運動のうちの少なくとも一方を減らすべく、第１電極９１０における渦電流のループサイズを十分に縮小するのに、第１電極９１０の分割化を増やすことが望ましくなり得る。たとえば実施例において第１電極９１０の厚さは、第２電極９２０の厚さの約４倍になり得る。別の実施例において２つの第１スロット９１４は、積層構成における第１電極９１０と第２電極９２０とに関して各々の第１スロット９１４が第２スロット９２４から偏位できるようにし得る。つまり第１スロット９１４と第２スロット９２４とは、積層構成における第１電極９１０と第２電極９２０とに関して一方がもう一方の上に載らないように交互に配置され得る。実施例においてそのような偏位構成は、電解質が潜在的にコンデンサ内にプールし得る大きな空隙容積の量を減らし得るので、潜在的にコンデンサの性能低下を導き得る。別の実施例においてそのような偏位構成は、たとえば汚染物質または他の物体が少なくとも１つの陽極と１つの陰極のうちの各々に跨って位置するとともに、それらの各々の電極に接触したままでいる可能性を減らすことによって、陽極と陰極層間の短絡の可能性を阻止することが可能である。上記の整列スロット構成を有する実施例において第１スロット９１４と第２スロット９２４との整列は、汚染物質または他の物体が少なくとも１つの陽極と１つの陰極のうちの各々に接触するとともにそれらの各々の電極に跨って留まるか位置する領域を提供し得る。
【００５１】
実施例において第１電極９１０は、第１電極９１０の縁に沿って位置する第１相互接続領域９１６を有し得る。第１相互接続領域９１６は、各々の第１スロット９１４の内側に配置された端から、実質的に等距離に位置する。このように第１相互接続領域９１６は、縮小断面を有する第１電極９１０のうちの各々の領域の近位に位置し得る。さらなる実施例において第２電極９２０は、第２電極９２０の縁に沿って実質的中央に位置する第２相
互接続領域９２６を有し得る。第２相互接続領域９２６は、第２電極９２０の内部に配置された第２スロット９２４の端の実質的近位に位置する。つまり第２相互接続領域９２６は、縮小断面を有する第２電極９２０の領域の近位に位置し得る。そのような第１相互接続領域９１６と第２相互接続領域９２６とは、接続要素を用いて２つ以上の第１電極９１０（たとえば陽極層）を接続できるようにし、別の接続要素を用いて２つ以上の第２電極９２０（たとえば陰極層）を接続できるようにする。第１相互接続領域９１６と第２相互接続領域９２６とを、分割後の第１電極９１０と第２電極９２０の縮小断面かその近位に位置付けることによって、第１電極９１０と第２電極９２０の縮小断面に起因するコンデンサのＥＳＲおよび他の有害な性能効果の増大は、上記の実施例の電極５１０に対して記載された方法に類似の方法で減らすことが可能である。
【００５２】
実施例において第１相互接続領域９１６は、第１電極９１０の中心から僅かに片側に位置付けられることが可能であり、第２相互接続領域９２６は、第２電極９２０の中心（積層構成における第１電極９１０と第２電極９２０に関して第１電極９１０の中心に整列される）から僅かに他方側に位置付けられ得る。このように２つ以上の第１電極９１０は、２つ以上の第２電極９２０の相互接続を干渉することなく、相互接続され得る。さらなる実施例において第１電極９１０は、積層構成における第１電極９１０と第２電極９２０に関して、第２電極９２０の第２相互接続領域９２６に整列するように構成される切欠９１８を有することが可能である。切欠９１８は、第１電極９１０に接触することなく第１電極９１０のそばを通るべく、１つの第２電極９２０から別の第２電極９２０への接続要素を考慮し得る。このように切欠９１８は、第２電極９２０の相互接続に関連する短絡問題を軽減する。他の実施例において第２電極９２０は、切欠９１８に対して上記の方法に類似の方法で第１電極９１０の相互接続に関連する短絡問題を軽減すべく、積層構成における第１電極９１０と第２電極９２０に関して、第１電極９１０の第１相互接続領域９１６に整列するように構成される切欠９２８を有することが可能である。
【００５３】
実施例において方法は、第１電極を第２電極に積層することを有し得る。第２電極は、第１電極から第１距離だけ分離される。実施例において方法は、第１電極と第２電極との間にセパレータを設置することを有する。実施例においてセパレータは、コンデンサ紙を有する。さらなる実施例においてセパレータは、電解質を有する。第１電極は、第１電極の周囲から、第１電極の内部に第１電極を通って延びる第１スロットを有し得る。第２電極は、第２電極の周囲から第２電極の内部に第２電極を通って延びる第２スロットを有し得る。第１スロットと第２スロットとは、各々の第１電極と第２電極とにおける径方向電流ループサイズを減らすべく、第１電極と第２電極それぞれの表面積を少なくとも部分的に分割するように構成されることが可能である。いくつかの実施例における方法は、第１スロットと第２スロットとを形成すべく、第１電極と第２電極とを分割することを有し得る。さらなる実施例において第１電極は、２つ以上の第１スロットを形成すべく分割される。
【００５４】
上記の実施例を参照すると、様々な製造作業は、分割電極を製造すべく考慮される。実施例において第１電極と第２電極との分割化は、第１スロットと第２スロットとを形成すべく第１電極と第２電極とを型抜きすることを有する。さらなる実施例において型抜きは、所望サイズと形状に電極を切断すべく用いられ得るが、同時に電極において１つあるいは複数の開口またはスロットを形成し得る。上記のようなアルミニウム電解コンデンサに関して、陽極層は酸化アルミニウムを有し得るので、比較的脆くなり得る。しかし、本発明者が認識したところでは、そのような脆い材料の型抜きが、少なくとも十分な成功率で実行されることが可能である。
【００５５】
上記の実施例は、埋込医療装置の分割構成要素とそのような分割埋込医療装置構成要素との作製方法を例示し、そのような分割構成要素は、ＭＲＩ環境に存在する磁場に対する
応答低下（非分割構成要素と比較したとき）を有する。実施例によってはそのような分割化は、埋込医療装置コンデンサにおいて含まれることが可能である。さらなる実施例において埋込医療装置コンデンサの陽極と陰極のうちの少なくとも一方を有する電極は、埋込医療装置コンデンサをＭＲＩ安全性にするために分割され得る。上記のように埋込医療装置構成要素を分割することによって、本発明者は、埋込医療装置構成要素における渦電流が減少し得るので、ＭＲＩ環境に暴露時の分割構成要素の加熱と振動のうちの少なくとも一方の低下がもたらされ得ることを認識している。このようにたとえば上記のような分割埋込医療装置構成要素と方法の実施例は、そのような埋込医療装置をＭＲＩ安全性にすべく様々な埋込医療装置において用いられることが可能である。
【００５６】
［補注］
上記の詳細な説明は、詳細な説明の一部を形成する添付図面への言及を有する。図面は、例として本発明が実践され得る特定の実施形態を示す。これらの実施形態は、本明細書において「実施例」とも称される。そのような実施例は、図示または説明されたものに加えて要素を有することが可能である。しかし、本発明者は、図示または説明されたそれらの要素のみが提供される実施例も考慮している。しかも、本発明者はまた、特定の実施例（またはそのうちの１つあるいは複数の特徴）に関してか、本明細書において図示または説明される他の実施例（そのうちの１つあるいは複数の特徴）に関してのいずれかに関して図示または記載されるそれらの要素（またはそのうちの１つあるいは複数の特徴）の任意の組合せか置換を用いる実施例をも考慮している。
【００５７】
本文書において言及される公表文献、特許、および特許文書はすべて、参考文献によって個々に組入れられるように、それらの全体が本明細書において参考文献によって盛込まれている。本文書と参考文献によってそのように盛込まれた文書間で一貫性のない使用法がある場合、盛込まれた参考文献における使用法は、本文書の使用法の補足と考えるべきである。すなわち矛盾する不一致に対しては、本文書の使用法が支配する。
【００５８】
本文書において用語「ａ」または「ａｎ」は、任意の他の例または「少なくとも１つ」か「１つあるいは複数」の慣用法とは関係なく１つ以上を含めるべく特許文書においてよくあるように用いられる。本文書において用語「ｏｒ」は、別に明記されなければ包括的に言及するか、「ＡまたはＢ」が「ＢでなくＡ」、「ＡでなくＢ」、および「ＡとＢ」を有するように用いられる。添付の特許請求の範囲において用語「ｉｎｃｌｕｄｉｎｇ」および「ｉｎ  ｗｈｉｃｈ」は、それぞれの用語「ｃｏｍｐｒｉｓｉｎｇ」および「ｗｈｅｒｅｉｎ」の平易な英語の等価物として用いられる。また以下の特許請求の範囲において、用語「ｉｎｃｌｕｄｉｎｇ」および「ｃｏｍｐｒｉｓｉｎｇ」は、制約がなく、つまり特許請求の範囲においてそのような用語の後に列挙された要素に加えて要素を有するシステム、装置、品物、またはプロセスは、それでもやはり本特許請求の範囲内にあるとみなされる。しかも以下の特許請求の範囲において、用語「第１」、「第２」、および「第３」などは、単なる標識として用いられ、それらの対象物に関する数的要件を課すよう意図されない。
【００５９】
上記の説明は、制限ではなく例示を意図する。たとえば上記の実施例（またはその１つあるいは複数の特徴）は、互いに組合わせて用いられ得る。他の実施形態は、たとえば上記の説明を再検討すれば、当業者によって用いられることが可能である。要約は、読者が技術的開示の特性をすぐに確認できるように３７Ｃ．Ｆ．Ｒ．§１．７２（ｂ）に準拠するように提供される。要約は、請求項の範囲または意味の解釈または限定に用いられ得ないという理解のもとに提出されている。また上記の詳細な説明において、様々な特徴は、開示を簡素化すべく１つにまとめられ得る。これは未請求の開示特徴が、任意の特許請求の範囲にとって必須であることを意図すると解釈されるべきではない。むしろ発明の主題は、特定の開示実施形態の全特徴未満にあり得る。したがって、以下の特許請求の範囲は
、本明細書によって詳細な説明に組込まれており、各々の請求項は、別個の実施形態として自立している。本発明の範囲は、そのような請求項の権利が与えられる等価物の全ての範囲とともに添付の特許請求の範囲を参照して判断されるべきである。
【図１】
2013516237.tif 000003
【図２】
2013516237.tif 000004
【図３】
2013516237.tif 000005
【図４】
2013516237.tif 000006
【図５】
2013516237.tif 000007
【図６】
2013516237.tif 000008
【図７】
2013516237.tif 000009
【図８】
2013516237.tif 000010
【図９】
2013516237.tif 000011
【図１０】
2013516237.tif 000012
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
第１電極の周囲から前記第１電極の内部に延びる第１スロットを有する第１電極と；
前記第１電極から第１距離だけ分離された第２電極であって、前記第２電極は、前記第２電極の周囲から前記第２電極の内部に延びる第２スロットを有することと
を有する植込医療装置コンデンサであって、
前記第１電極は、前記第１電極の縁にそって中央に位置する第１相互接続領域を有し、
前記第１相互接続領域は、前記第１電極の縁と前記第１スロットの端としての第１スロット端との間の前記第１電極の減らされた断面積の領域の近位に位置し、前記第１スロット端は、前記第１電極の内部に配置され、
前記第２電極は、前記第２電極の縁に沿って中央に位置する第２相互接続領域を有し、
前記第２相互接続領域は、前記第２電極の縁と前記第２スロットの端としての第２スロット端との間の前記第２電極の減らされた断面積の領域の近位に位置し、前記第２スロット端は、前記第２電極の内部に配置され、
前記第１電極の前記第１相互接続領域は、積層構成における前記第１電極と前記第２電極とに関して、前記第２電極の前記第２相互接続領域から偏位され、
前記第１スロットと前記第２スロットは、各々の前記第１電極と前記第２電極とにおける径方向電流ループサイズを減らすべく、前記第１電極と前記第２電極それぞれの表面積を少なくとも部分的に分割するように構成される、
植込医療装置コンデンサ。
【請求項２】
前記第１電極は、第１切欠領域を有し、
前記第１切欠領域は、積層構成における前記第１電極と前記第２電極とに関して、前記第２領域の前記第２相互接続領域に対応し、
前記第２電極は、第２切欠領域を有し、
前記第２切欠領域は、積層構成における前記第１電極と前記第２電極とに関して、前記第１領域の前記第１相互接続領域に対応する、
請求項１記載の植込医療装置コンデンサ。
【請求項３】
前記第１電極は、２つの第１スロットを有し、
前記第１相互接続領域は、前記第１電極の縁に沿って位置するとともに、各々の前記第
１スロット端から等距離に位置し、
前記第１スロット端は、前記第１電極の内部に配置される、
請求項１または２記載の植込医療装置コンデンサ。
【請求項４】
前記第１電極は、酸化アルミニウムで少なくとも部分的に覆われたアルミニウム基板を有する、
請求項１〜３何れか一項記載の植込医療装置コンデンサ。
【請求項５】
前記第２電極は、スパッタチタンで少なくとも部分的に覆われたアルミニウム基板を有する、
請求項１〜４何れか一項記載の植込医療装置コンデンサ。
【請求項６】
前記第１電極は、積層構成における前記第２電極に平行である、
請求項１〜５何れか一項記載の植込医療装置コンデンサ。
【請求項７】
前記第１電極の前記第１スロットは、前記第２電極の前記第２スロットに整列される、
請求項６記載の植込医療装置コンデンサ。
【請求項８】
前記第１電極の前記第１スロットは、前記第２電極の前記第２スロットから偏位される、
請求項６記載の植込医療装置コンデンサ。
【請求項９】
前記植込医療装置コンデンサは、前記第１電極と前記第２電極との間に配置されたセパレータを有する、
請求項６〜８何れか一項記載の植込医療装置コンデンサ。
【請求項１０】
前記セパレータは、電解質材料を有する、
請求項９記載の植込医療装置コンデンサ。
【請求項１１】
前記第１電極は、２つ以上の第１スロットを有する、
請求項１〜１０何れか一項記載の植込医療装置コンデンサ。
【請求項１２】
前記第１電極と前記第２電極とは、それぞれ平面である、
請求項１〜１１何れか一項記載の植込医療装置コンデンサ。
【請求項１３】
前記第１電極は、陽極層を有する、
請求項１〜１２何れか一項記載の植込医療装置コンデンサ。
【請求項１４】
前記第２電極は、陰極層を有する、
請求項１〜１３何れか一項記載の植込医療装置コンデンサ。
【請求項１５】
前記第１電極の厚みは、前記第２電極の厚みよりも大きい、
請求項１〜１４何れか一項記載の植込医療装置コンデンサ。
【国際調査報告】
2013516237.tif 000013
2013516237.tif 000014
2013516237.tif 000015